(57)【要約】【課題】電源を遮断させなくても携帯時に撮影レンズをどこかにぶつけて壊す恐れのない携帯機器を提供する。【解決手段】ヒンジを構成する回動軸１１ａに、第１の筐体１０の内部に延びて配設される円筒部材１１０１を設ける。その円筒部材１１０１とリンク部材１０２とをカム係合してさらにそのリンク部材１０２の切り欠き部１０２４にカムリング１０３Ｂの突出部１０３１を係合する。さらにそのカムリング１０３Ｂを、レンズ保持枠１０４Ｂに対して光軸方向に重なる位置に設けレンズ保持枠１０４Ｂとカムリング１０３Ｂとをカム係合しておく。リンク部材１０２の直進動作に合わせてリンク部材と係合しているカムリング１０３Ｂが回動してそのカムリング１０３Ｂの回動に伴ってレンズ保持枠１０４Ｂが光軸方向に移動する。【選択図】  図３
2005331729.tif 000002
【特許請求の範囲】
【請求項１】
相互にヒンジ接続されて開閉される第１の筐体と第２の筐体とを備え、該第１の筐体と該第２の筐体の表面どうしが対向するように折畳まれた折畳み状態と、該第１の筐体と該第２の筐体双方の表面が略同一方向を向いた展開状態とを有する携帯機器において、
撮影レンズを含む構成であって該撮影レンズを経由して入射してきた被写体光を捉えることにより撮影を行なう撮影装置を備え、
前記撮影装置が、前記撮影レンズを、前記折畳み状態から前記展開状態への移行に伴って繰出させるとともに、前記展開状態から前記折畳み状態への移行に伴って沈胴させる繰出沈胴機構を備えたことを特徴とする携帯機器。
【請求項２】
前記繰出沈胴機構は、前記撮影レンズを保持するレンズ保持枠と、
前記第１の筐体と前記第２の筐体の開閉動作に伴って移動するリンク部材と、
前記レンズ保持枠に対し光軸方向に重なる位置に設けられた、前記リンク部材の移動により回動するカムリングとを備え、
前記レンズ保持枠と前記カムリングが、該カムリングの回動に伴って該レンズ保持枠を光軸方向に移動させるように相互にカム係合されたものであることを特徴とする請求項１記載の携帯機器。
【発明の詳細な説明】
【技術分野】
【０００１】
本発明は、相互にヒンジ接続されて開閉される第１の筐体と第２の筐体とを備え、その第１の筐体とその第２の筐体の表面どうしが対向するように折畳まれた折畳み状態と、その第１の筐体とその第２の筐体双方の表面が略同一方向を向いた展開状態とを有する携帯機器に関する。
【背景技術】
【０００２】
機器の中には小型で軽くて携帯するのに便利な携帯機器がある。そのようなものの中には撮影装置や携帯電話器といった携帯機器があり、最近では双方の装置が一体的になって携帯電話器に撮影装置が配備されたものがある。
【０００３】
この撮影装置が配備された携帯電話器の中には、相互にヒンジ接続されて開閉される第１の筐体と第２の筐体とを備え、その第１の筐体とその第２の筐体の表面どうしが対向するように折畳まれた折畳み状態と、その第１の筐体とその第２の筐体双方の表面が略同一方向を向いた展開状態とを有し、携帯時には折畳み状態にしてから携帯され使用時には展開状態に展開されてから使用されるものがある（例えば特許文献１参照）。この折畳み自在の携帯電話器は爆発的に普及している。今後は携帯電話器が備える撮影装置に、光学ズームなどの機能を持たせようとする動きも出てきている。
【０００４】
このような光学ズームなどの機能を持たせるにあたり、デジタルカメラのように電源が投入されたときに撮影レンズを自動的に繰り出させたり、電源が遮断されたときにその繰出されていた撮影レンズを沈胴させたりするレンズ鏡胴の繰出・沈胴機構を搭載することが望まれる。
【０００５】
しかし、折畳み自在の携帯電話器の場合には電源を入れっぱなしにして折り畳んで持ち運ぶことも多く、もし撮影レンズを繰出させるようにすると撮影レンズを繰り出させたまま持ち運んでしまって撮影レンズをどこかにぶつけてしまい壊してしまう可能性がある。また撮影レンズを壊してしまうようなことを極力避けるために、携帯時にはユーザに電源を遮断させることもできるが、これでは電話機としての役目が充分に果たせない。
【特許文献１】特開２００４−６４１１９号公報
【発明の開示】
【発明が解決しようとする課題】
【０００６】
本発明は、上記事情に鑑み、電源を遮断させなくても携帯時に撮影レンズをどこかにぶつけて壊す恐れのない携帯機器を提供することを目的とする。
【課題を解決するための手段】
【０００７】
上記目的を達成する本発明の携帯機器は、相互にヒンジ接続されて開閉される第１の筐体と第２の筐体とを備え、その第１の筐体とその第２の筐体の表面どうしが対向するように折畳まれた折畳み状態と、その第１の筐体とその第２の筐体双方の表面が略同一方向を向いた展開状態とを有する携帯機器において、
撮影レンズを含む構成であってその撮影レンズを経由して入射してきた被写体光を捉えることにより撮影を行なう撮影装置を備え、
上記撮影装置が、上記撮影レンズを、上記折畳み状態から上記展開状態への移行に伴って繰出させるとともに、上記展開状態から上記折畳み状態への移行に伴って沈胴させる繰出沈胴機構を備えたことを特徴とする。
【０００８】
上記本発明の携帯機器によれば、上記第１の筐体あるいは第２の筐体がユーザによって回動されたときにこの携帯機器が上記繰出沈胴機構に、上記折畳み状態から上記展開状態への移行に伴っては上記撮影レンズを繰り出させるとともに、上記展開状態から上記折畳み状態への移行に伴っては上記撮影レンズを沈胴させる。
【０００９】
そうするとユーザがこの携帯機器を携帯しようとしてこの携帯機器を上記展開状態から上記折畳み状態にしたときに撮影レンズを第１または第２の筐体内に自動的に沈胴させてから、ユーザによって折畳み状態の携帯機器が携帯される。このようにこの携帯機器を折り畳むという通常の作業を行なうときにその折り畳むという作業に連動して撮影レンズを沈胴させることによって、電源を遮断させなくても携帯時に撮影レンズを壊す恐れのない携帯機器が実現される。
【００１０】
ここで、上記撮影レンズを保持するレンズ保持枠と、
上記第１の筐体と前記第２の筐体の開閉動作に伴って移動するリンク部材と、
上記レンズ保持枠に対し光軸方向に重なる位置に設けられた、上記リンク部材の移動により回動するカムリングとを備え、
上記レンズ保持枠と上記カムリングが、そのカムリングの回動に伴ってそのレンズ保持枠を光軸方向に移動させるように相互にカム係合されたものであることが好ましい。
【００１１】
このように開閉動作に伴って直進動作を行なうリンク部材を設けるという簡単な構造で、第１の筐体と第２の筐体の開閉動作に伴って撮影レンズを繰出させたり、沈胴させたりすることができる繰出沈胴機構が実現される。そうすると、この携帯機器の小型化が図れる。
【発明の効果】
【００１２】
以上、説明したように、電源を遮断させなくても携帯時に撮影レンズをどこかにぶつけて壊す恐れのない携帯機器が実現される。
【発明を実施するための最良の形態】
【００１３】
以下図面を参照して本発明の実施の形態を説明する。
【００１４】
本発明の実施形態である携帯機器の一例として携帯電話器１を例に掲げて以下説明する。
【００１５】
図１、図２は、折畳み式の携帯電話器１の外観を示す図である。
【００１６】
図１（ａ）には、折畳み状態にあるときの携帯電話器１を斜め上方から見た図が、図１（ｂ）には図１（ａ）の携帯電話器１の第１の筐体１０の裏面側の外観が、図１（ｃ）には図１（ａ）の携帯電話器を側方から見た図がそれぞれ示されている。
【００１７】
また、図２（ａ）には、展開状態にあるときの携帯電話器１を斜め上方から見た図が、図２（ｂ）には図２（ａ）に示す展開状態にあるときの携帯電話器１を側方から見た図がそれぞれ示されている。
【００１８】
図１、図２に示す携帯電話器１は、相互にヒンジ接続されて開閉される第１の筐体１０と第２の筐体１１とを備え、第１の筐体１０と第２の筐体１１の表面どうしが対向するように折畳まれた折畳み状態（図１参照）と、第１の筐体１０と第２の筐体１１双方の表面が略同一方向を向いた展開状態（図２参照）とを有するものである。また、この携帯電話器１は撮影レンズ１０Ａ〜１０Ｄを含む構成であって撮影レンズ１０Ａ〜１０Ｄを経由して入射してきた被写体光を捉えることにより撮影を行なう撮影装置を備えたものでもあり、その撮影装置が、撮影レンズ１０Ａ〜１０Ｄを、折畳み状態から展開状態への移行に伴って繰出させるとともに、展開状態から折畳み状態への移行に伴って沈胴させる繰出沈胴機構を備えたものである。この撮影装置１は、図１に示す折畳み状態から図２に示す展開状態へ展開されたときにその繰出沈胴機構によって撮影レンズ１０Ａ〜１０Ｄが繰出されて、その繰出された撮影レンズ１０Ａ〜１０Ｄを通して捉えた被写体を、展開状態にあるときにその表示画面を露呈する表示パネル１１０（図２（ａ）参照）で視認しながら撮影を行なうことできるものであって、４つのレンズ１０Ａ〜１０Ｄ（図１（ｂ）参照）のうちのいずれかのレンズで被写体を捉えることによって異なる焦点距離での撮影を行なうことができる撮影装置を実現しようとするものである。ここでは図１（ｂ）に示す４つのレンズ１０Ａ〜１０Ｄのうち、いずれかのレンズを用いることによって異なる焦点距離の撮影を行なうことができるようにした場合の例が示されている。
【００１９】
ここで、それら４つの撮影レンズ１０Ａ〜１０Ｄの繰出沈胴機構の構成を、図３〜図６を参照して説明する。
【００２０】
図３は、この携帯電話器１の第１の筐体１０と第２の筐体１１の表面どうしが対向するように折畳まれた折畳み状態にあるときにその第１の筐体１０の一部を切り取って第１の筐体の内部に配設されている繰出沈胴機構の一部を上方から見た図であり、図４は図１に示す折畳み状態にあるときの繰出沈胴機構を側方から見た図である。また図５は、この携帯電話器１が図２に示す展開状態にあるときに携帯電話器の第１の筐体の一部を切り取ってその第１の筐体１０の内部に配設されている繰出沈胴機構を撮影レンズ前方から見た図であり、図６は図２に示す展開状態にあるときの繰出沈胴機構を側方から見た図である。なお、図３、図５には図３（ｂ），図５（ｂ）としてヒンジを構成する第２の筐体１１の回動軸１１ａから第１の筐体１０側に延びて配設されている円筒部材１１０１に設けられたカム溝１１０１Ａの展開図も示されている。
【００２１】
図１〜図２で説明したように、この携帯電話器１は、相互にヒンジ接続されて開閉される第１の筐体１０と第２の筐体１１とを備え、第１の筐体１０と第２の筐体１１の表面どうしが対向するように折畳まれた折畳み状態から第１の筐体１０と第２の筐体１１との双方の表面が略同一方向を向いた展開状態まで展開されるものである。この携帯電話器には撮影装置が配備されており、その撮影装置が、撮影レンズ１０Ａ〜１０Ｄを、折畳み状態から展開状態への移行に伴って繰出させるとともに、展開状態から折畳み状態への移行に伴って沈胴させる繰出沈胴機構を備えたものである。
【００２２】
本実施形態においては、この携帯電話器が備えるヒンジ部周辺にその繰出沈胴機構が配設されている。この携帯電話器が備えるヒンジは、第１の筐体１０の受孔部１０１に第２の筐体の回動軸１１ａが嵌め入れられることによって形成されたものであって、そのヒンジを構成する第２の筐体１１の回動軸１１ａの回動に伴って繰出沈胴機構が作動するように繰出沈胴機構がヒンジ周辺に配設されている。なお、図３（ａ）には、第１の筐体１０の内部に配設されている繰出沈胴機構とヒンジ部との係わりがよく分かるように、図３中に示した多角形の形状で示す切取線に沿って第１の筐体１０の一部を切り取ってその第１の筐体１０の内部の繰出沈胴機構を見た図が示されている。なお、この図３（ａ）では４つのレンズのうちの２つのレンズの部分の構成のみが示されている。
【００２３】
図３（ａ）に示すレンズ１０Ｂを保持するレンズ保持枠１０４Ｂに対し光軸方向に重なる位置に設けられたカムリング１０３Ｂが回動するとそのカムリング１０３Ｂの回動がギア１０５によりもう一つのカムリング１０３Ｄに伝えられてそのカムリング１０３Ｄの回転に伴ってもう一つのレンズ１０Ｄが光軸方向に移動する。この図３には不図示のカムリングそれぞれも、カムリング１０３Ｂの回転を受けて回転してそれらのカムリングに重なる位置に設けられているレンズ保持枠が光軸方向に移動する構成になっている。
【００２４】
まず繰出沈胴機構の構成を説明する。
【００２５】
図３（ａ）に示す繰出沈胴機構は、撮影レンズ１０Ｂ，１０Ｄを保持するレンズ保持枠１０４Ｂ，１０Ｄと、前述した、第１の筐体１０と第２の筐体１１の開閉動作に伴って直進動作を行なうリンク部材１０２と、レンズ保持枠１０４Ｂ，１０４Ｄに対し光軸方向に重なる位置に設けられた、リンク部材１０２の移動により回動するカムリング１０３Ｂ，１０３Ｄとを備えたものであり、この例では、第２の筐体１１の回動軸１１ａにリンク部材１０２近くまで達するような円筒部１１０１を構成して、その円筒部１１０１の回転をリンク部材を介してカムリングに伝えるようにしている。
【００２６】
この円筒部１１０１には回転方向に対して傾斜を持つカム溝１１０１Ａ（図３（ｂ）参照）が設けられそのカム溝１１０１Ａにリンク部材１０２に設けたカムピン１０２１が嵌入されており、第１の筐体１０と第２の筐体１１の開閉動作に伴ってカムピンがカム溝に沿って移動し、リンク部材１０２が直進動作を行なうとカムリング１０３Ｂが回動するようになっている。このリンク部材が安定した直進動作を行なうことができるように、図３に示すリンク部材１０２には、第１の筐体１０側に設けられたガイドピン１００Ａ，１００Ｂが嵌入されるガイド孔１０２２，１０２３が設けられており、そのリンク部材１０２の切欠部１０２４にカムリング１０３Ｂから外方へ向けて突出するようにして設けられた突出部１０３０が係合されている。
【００２７】
ここで繰出沈胴機構の動作を簡単に説明する。
【００２８】
図３〜図４に示す折畳み状態にあるときに例えば第１の筐体１０に対して第２の筐体１１がユーザによって回動され折畳み状態から展開状態へ移行すると、その第２の筐体１１の回動に伴ってヒンジ部を構成する回動軸１１ａが回動してその回動軸１１ａの回動に伴ってリンク部材１０２が図３の右側に動き図５の位置に達する。このようにしてリンク部材が動くと切欠部１０２４に係合されている突出部１０３０の動きに伴ってカムリング１０３Ｂが回動する。さらにそのカムリング１０３Ｂの回転がギア１０５によりカムリング１０３Ｄや図示しないカムリングにも伝達されて各カムリングが回転して図５〜図６に示すようになって４つの撮影レンズが繰出されるとともに、この携帯電話器１が展開状態に展開される。
【００２９】
この展開状態にあるときにその展開状態から折畳み状態へ移行すると、今度はその第２の筐体１１の回動に伴ってヒンジ部を構成する回動軸１１ａが回動してその回動軸１１ａの回動に伴ってリンク部材１０２が左側に動いて図３の位置に達する。リンク部材１０２が図３に示すように左側に動くとその切欠部１０２４に係合されている突出部１０３０とともにカムリング１０３Ｂが回動してさらにその回動を受けて他のカムリングが回動する。そうすると折畳み状態へ移行するときに４つの撮影レンズが沈胴していき、折畳み状態になったときには４つの撮影レンズが筐体内に完全に沈胴する。
【００３０】
このように折畳み状態から展開状態への移行、また展開状態から折畳み状態への移行に伴って繰出沈胴機構を連動させ、その繰出沈胴機構を構成するカムリングを回動させることによってレンズ保持枠１０４Ａ〜１０４Ｄそれぞれを繰出させたり、沈胴させたりすることで、場所をとらないコンパクトな繰出沈胴機構が実現される。このようにコンパクトな繰出沈胴機構が構成されると、この携帯電話器を構成する第１の筐体および第２の筐体双方をコンパクトにすることもできる。また、電源を遮断しなくても、折畳み状態への移行を以って撮影レンズを沈胴させているので、携帯時には必ず撮影レンズが沈胴状態になって撮影レンズがどこかにぶつかって壊れるといったことが全くといっていい程なくなる。
【００３１】
最後にレンズ保持枠のカムピンとそのレンズ保持枠に重なる位置に配設されたカムリングがどのように係合しているかを説明しておく。
【００３２】
図７はレンズ保持枠１０４Ａ，１０４Ｂ，１０４Ｃ，１０４Ｄとカムリング１０３Ａ，１０３Ｂ，１０３Ｃ，１０３Ｄがそれぞれ相互にカム係合されている状態を示す図である。いままでの図ではレンズ保持枠のカムピンとそのレンズ保持枠に対して重なる位置に設けられたカムリングとの係わりが判りづらいのでこの図７にはレンズ保持枠とカムリングとが係わる係合部を抜粋して示した図を合わせて載せてある。
【００３３】
図７（ａ）にはそのレンズ保持枠１０４Ａ，（１０４Ｂ  ｏｒ  １０４Ｃ  ｏｒ  １０４Ｄ）とカムリング１０３Ａ，（１０３Ｂ，ｏｒ  １０３Ｃ  ｏｒ  １０３Ｄ）の係わりを示す図が示されている。
【００３４】
図７（ａ）に示すようにレンズ保持枠１０４Ａ〜１０４Ｄに重なる位置にカムリング１０３Ａ〜１０３Ｄがそれぞれ配置され、それらのカムリングそれぞれにレンズ保持枠それぞれのカムピン１０４１Ａ〜１０４１Ｄが係合するカム溝１０３１Ａ〜１０３１Ｄがそれぞれ設けられ、それらのカム溝１０３１Ａ〜１０３１Ｄにレンズ保持枠１０４Ａ〜１０４Ｄそれぞれのカムピン１０４１Ａ〜１０４１Ｄがそれぞれ係合している。この例においては各レンズ保持枠１０４Ａ〜１０４Ｄのカムピン１０４１Ａ〜１０４１Ｄそれぞれを各カムリング１０３Ａ〜１０３Ｄのカム溝１０３１Ａ〜１０３１Ｄにしっかりと密着させるためにレンズ保持枠１０４Ａ〜１０４Ｄそれぞれをカムリング１０３Ａ〜１０３Ｄ側に付勢するバネ部材１０６A〜１０６Dをそれぞれ設けてもある。
【００３５】
このようにレンズ保持枠とカムリングとが相互にカム係合された状態でカムリングが回動されると、カム溝１０３１Ａ〜１０３１Ｄの傾斜に沿ってレンズ保持枠がきちんと光軸方向に移動する。
【００３６】
なお、図７（ｂ）には、比較的小さな繰出し量で撮影レンズを繰出させる場合に、カムリングに設けられるべきカム溝（図７（ｃ）に比べて浅い溝）の例が、図７（ｃ）には比較的大きな繰出し量で撮影レンズを繰出させる場合に、カムリングに設けられるべきカム溝（図７（ｂ）に比べて深い溝）の例がそれぞれ示されている。この例のようにカムリングに設けるカム溝の深さを調節することで様々な繰出し量が得られるが、ここでは図１に示すように２つづつ規則正しく並べられた４つのレンズのうち、右側に配置されている２つのレンズを比較的大きな繰出量で繰出させるようにして、左側に配置されているレンズを比較的小さな繰出し量で繰出させるようにした例が示されている。
【００３７】
なお、図７（ｂ），図７（ｃ）には、カムピンもカム溝もそれぞれ３箇所づつ設けられた例が示されており、３箇所それぞれを相互にカム係合させることで安定した移動を保証するようにしてある。このようにしておくと、２つのレンズの繰出し量と２つのレンズの繰出し量とが変わるので、これらを切り替えて使用することができるように電気配線を行なってさえ置けば、展開状態にあるときにいずれかの繰出し量の撮影レンズが捉えた被写体の撮影を行なうことができる。
【００３８】
以上説明したように、撮影レンズを繰出すようにして焦点距離の変更を行なうことができるようにしても携帯時には撮影レンズが沈胴するので撮影レンズが壊れる恐れのない携帯機器が実現される。また、展開状態から折畳み状態へ移行するときに撮影レンズが自動的に沈胴するので、ユーザはこの折り畳み自在な携帯電話器を携帯するときに行なっていた折り畳むという作業をいままでどおり行なえば良くなり、わざわざ撮影レンズを沈胴させるために電源の遮断を行わなくても良くなる。
【図面の簡単な説明】
【００３９】
【図１】折畳み式の携帯電話器１の外観を示す図であって、その折畳み式の携帯電話器が折畳み状態にあるときの外観を示す図である。
【図２】折畳み式の携帯電話器１の外観を示す図であって、その折畳み式の携帯電話器が展開状態にあるときの外観を示す図である。
【図３】この携帯電話器１が折畳み状態にあるときに携帯電話器の第１の筐体の内部に配設されている繰出沈胴機構を上方から見た図である。
【図４】繰出沈胴機構を側方から見た図である。
【図５】この携帯電話器１が展開状態にあるときに携帯電話器内部に配設されている繰出沈胴機構を上方から見た図である。
【図６】繰出沈胴機構を側方から見た図である。
【図７】レンズ保持枠とカムリングがカム係合されている状態を示すカム展開図である。
【符号の説明】
【００４０】
１    携帯電話器
１０    第１の筐体
１０Ａ〜１０Ｄ    撮影レンズ
１０１    受孔部
１０２    リンク部材
１０２１    カムピン
１０３Ａ〜１０３Ｄ    カムリング
１０３０    突出部
１０３１Ａ〜１０３１Ｄ    カム溝
１０３２Ａ〜１０３２Ｄ    カム溝
１０３３Ａ〜１０３３Ｄ    カム溝
１０４Ａ〜１０４Ｄ    レンズ保持枠
１０４１Ａ〜１０４１Ｄ    カムピン
１０４２Ａ〜１０４２Ｄ    カムピン
１０４３Ａ〜１０４３Ｄ    カムピン
１０５    連結ギア
１０６Ａ〜１０６Ｄ  バネ部材
１０７Ａ〜１０７Ｄ    撮像素子
１１    第２の筐体
１１ａ    回動軸
１１０１    円筒部材
１１０１Ａ    カム溝
１１０    表示画面
【図１】
2005331729.tif 000003
【図２】
2005331729.tif 000004
【図３】
2005331729.tif 000005
【図４】
2005331729.tif 000006
【図５】
2005331729.tif 000007
【図６】
2005331729.tif 000008
【図７】
2005331729.tif 000009